(57)【要約】【課題】ＤＵＴ上の２つのピンを、周波数応答を維持しながら同軸信号アクイジション・システムに接続する。【解決手段】差動プローブ・チップ１００は、プローブ・チップ１００の近接端１０１において、導電性材料のソケット１１０を有している。ソケット１１０には、信号ピンを受ける凹部１１１がある。プローブ・チップ１００には、ソケット１１０の周りを囲む導電性材料の基準胴体１３２もある。プローブ・チップ１００には、プローブ・チップ１００の近接端において、基準胴体１３２の周りを囲む非導電性材料の絶縁スペーサ要素１４０を更に具えている。絶縁スペーサ要素１４０には、信号ピンをソケット１１０中で受ける信号ポート１４１がある。絶縁スペーサ要素１４０には、更に、基準ピンを受けて、基準胴体１３２の近接端と電気的コミュニケーションをする状態で基準ピンを維持する基準ポート１４２がある。【選択図】図１
2019002910.tif 000002
【特許請求の範囲】
【請求項１】
信号ピンを受ける凹部を有し、プローブ・チップの近接端において導電性材料から形成されるソケットと、
該ソケットと隣接する導電性材料の基準胴体と、
上記プローブ・チップの近接端において基準胴体の周りを囲む非導電性材料の絶縁スペーサ要素と
を具え、
該絶縁スペーサ要素が、
上記信号ピンを上記ソケットの中で受けるための信号ポートと、
基準ピンを受けて、該基準ピンの上記基準胴体の近接端との電気的コミュニケーションを維持する基準ポートと
を有する差動試験プローブ・チップ。
【請求項２】
上記絶縁スペーサ要素は、被試験デバイス（ＤＵＴ）の表面に接しながら、上記信号ピン及び上記基準ピンを試験プローブ・チップ中に受け入れるように形作られる請求項１の差動試験プローブ・チップ。
【請求項３】
上記絶縁スペーサ要素は、上記基準ポートの周りを囲んで、上記基準ピン、基準胴体、信号ピン及びソケットを隣接する被試験デバイス（ＤＵＴ）のピンから電気的にシールドする請求項１の差動試験プローブ・チップ。
【請求項４】
上記ソケットには、遠位端と、絶縁スペーサ要素に取り付けられた近接端とがあり、上記試験プローブ・チップが、上記ソケットの上記遠位端に直接取り付けられて電気的にコミュニケーションするアッテネータを更に具える請求項１の差動試験プローブ・チップ。
【請求項５】
上記基準ポート内に位置する接点要素を更に具え、該接点要素は、上記基準ピンを上記基準胴体と電気的コミュニケーションをする状態で解放可能に維持する請求項１の差動試験プローブ・チップ。
【請求項６】
プローブ・チップの近接端にある導電性材料のソケットであって、遠位端と信号ピンを受ける凹部を伴う近接端とを有する上記ソケットと、
遠位端と上記ソケットの上記遠位端に直接取り付けられると共に電気的コミュニケーションをする近接端とを有するアッテネータと、
上記プローブ・チップの遠位端にあるケーブルであって、上記アッテネータの上記遠位端と電気的コミュニケーションをする上記ケーブルと
を具える試験プローブ・チップ。
【請求項７】
上記プローブ・チップの上記近接端において上記ソケットの周りを囲む非導電性材料の絶縁スペーサ要素を更に具え、該絶縁スペーサ要素が、上記信号ピンを上記ソケット内で受ける信号ポートを有する請求項６の試験プローブ・チップ。
【請求項８】
上記絶縁スペーサ要素は、被試験デバイス（ＤＵＴ）の表面に接しながら、上記信号ピンを試験プローブ・チップ中に受け入れるように形作られる請求項７の試験プローブ・チップ。
【請求項９】
上記ソケット、上記アッテネータ及び上記ケーブルの近接端の周りを囲む導電性材料の基準胴体を更に具える請求項７の試験プローブ・チップ。
【請求項１０】
上記絶縁スペーサ要素が、基準ピンを受けて、上記基準胴体の近接端と電気的コミュニケーションをする状態で上記基準ピンを維持する基準ポートを更に有する請求項９の試験プローブ・チップ。
【発明の詳細な説明】
【技術分野】
【０００１】
本発明は、試験測定プローブの態様に関する機構に関し、特に、被試験デバイス（ＤＵＴ）に接続するシールドされた試験プローブ・チップに関する。
【背景技術】
【０００２】
試験測定システム（例えば、オシロスコープ）は、例えば、ＤＵＴ（被試験デバイス）からの試験信号を受けるように設計される。いくつかの例示的な回路網では、プローブがＤＵＴ上の信号ピンと係合され、その試験信号を試験測定システムへ電気的に伝送するのに利用される。
【先行技術文献】
【特許文献】
【０００３】
【特許文献１】特開２０１７−１７４８１６号公報
【発明の概要】
【発明が解決しようとする課題】
【０００４】
プローブの複数の構成要素間の寄生容量は、プローブの周波数応答を変更することがあり、これによって、プローブを横断する試験信号を変化させることがある。加えて、隣接するＤＵＴピン間で電流が誘導されることがある。こうした誘導電流は、ＤＵＴに最初は存在しておらず、よって、試験信号に悪い影響を与えるノイズである。また、プローブは、露出したワイヤ、クリップなどによってピンに取り付けられることがある。こうしたコンポーネントは、誘導電流の量を増加させることがあり、また、誘導電流の量に変動をもたらすことがある。これらコンポーネントは、試験回路網に一貫性のない信号接続を加えることがあり、よって、試験信号中に対応するノイズを追加することがある。こうした電気的なノイズは、プローブ・システムの性能を制限する要因となってきたが、光学的アイソレーション機能があって高分解能の最新の試験システムは、より大きな電流及びノイズを試験システムに誘導することがある、周囲により大きな信号がある環境で使用されることがある。従って、プローブ・ノイズは、試験測定システムの試験結果に顕著な差を生じさせることがある。
【０００５】
本開示の実施例は、これら及び他の課題を解決しようとするものである。
【課題を解決するための手段】
【０００６】
以下では、本願で開示される技術の説明に有益な実施例が提示される。本発明の実施形態は、以下で記述する実施例の１つ以上及び任意の組み合わせを含んでいても良い。
【０００７】
実施例１としては、差動試験プローブ・チップがあり、信号ピンを受ける凹部を有し、プローブ・チップの近接端において導電性材料から形成されるソケットと、該ソケットと隣接する導電性材料の基準胴体と、上記プローブ・チップの近接端において基準胴体の周りを囲む非導電性材料の絶縁スペーサ要素とを具え、該絶縁スペーサ要素が、上記信号ピンを上記ソケットの中で受けるための信号ポートと、基準ピンを受けて、該基準ピンの上記基準胴体の近接端との電気的コミュニケーションを維持する基準ポートとを有している。
【０００８】
実施例２としては、実施例１の差動試験プローブ・チップがあり、このとき、上記絶縁スペーサ要素は、被試験デバイス（ＤＵＴ）の表面に接しながら、上記信号ピン及び上記基準ピンを試験プローブ・チップ中に受け入れるように形作られる。
【０００９】
実施例３としては、実施例２の差動試験プローブ・チップがあり、このとき、上記ＤＵＴの表面は、ピン・ヘッダ又は回路基板である。
【００１０】
実施例４としては、実施例１〜３のいずれかの差動試験プローブ・チップがあり、このとき、絶縁スペーサ要素は、上記ソケット及び上記基準胴体の間に広がっている。
【００１１】
実施例５としては、実施例１〜４のいずれかの差動試験プローブ・チップがあり、このとき、上記絶縁スペーサ要素は、上記基準ポートの周りを囲んで、上記基準ピン、基準胴体、信号ピン及びソケットを隣接する被試験デバイス（ＤＵＴ）のピンから電気的にシールドする。
【００１２】
実施例６としては、実施例１〜５のいずれかの差動試験プローブ・チップがあり、このとき、上記ソケットには、遠位端と、絶縁スペーサ要素に取り付けられた近接端とがあり、上記試験プローブ・チップが、上記ソケットの上記遠位端に直接取り付けられて電気的にコミュニケーションするアッテネータを更に具えている。
【００１３】
実施例７としては、実施例１〜６のいずれかの差動試験プローブ・チップがあり、このとき、上記基準胴体は、上記ソケットに取り付けられた上記アッテネータの周りを囲み、上記基準胴体は、非導電性材料によって上記アッテネータから分離される。
【００１４】
実施例８としては、実施例１〜７のいずれかの差動試験プローブ・チップがあり、上記基準ポート内に位置する接点（contact：コンタクト）要素を更に具え、該接点要素は、上記基準ピンを上記基準胴体と電気的コミュニケーションをする状態で解放可能（releasably）に維持する。
【００１５】
実施例９としては、実施例８のいずれかの差動試験プローブ・チップがあり、このとき、上記接点要素は、上記基準胴体と電気的コミュニケーションをする導電性材料のメカ的クリップである。
【００１６】
実施例１０としては、実施例８〜９のいずれかの差動試験プローブ・チップがあり、このとき、上記絶縁スペーサ要素には、上記基準ポートに隣接する基準側壁があり、該基準側壁には、上記基準ピンを解放するときに、接点要素の動きをサポートする形状の接点（contact：コンタクト）開口がある。
【００１７】
実施例１１としては、試験プローブ・チップがあり、プローブ・チップの近接端にある導電性材料のソケットであって、遠位端と信号ピンを受ける凹部を伴う近接端とを有する上記ソケットと、遠位端と上記ソケットの上記遠位端に直接取り付けられると共に電気的コミュニケーションをする近接端とを有するアッテネータと、上記プローブ・チップの遠位端にあるケーブルであって、上記アッテネータの上記遠位端と電気的コミュニケーションをする上記ケーブルとを具えている。
【００１８】
実施例１２としては、実施例１１の試験プローブ・チップがあり、上記プローブ・チップの上記近接端において上記ソケットの周りを囲む非導電性材料の絶縁スペーサ要素を更に具え、該絶縁スペーサ要素が、上記信号ピンを上記ソケット内で受ける信号ポートを有している。
【００１９】
実施例１３としては、実施例１２の試験プローブ・チップがあり、このとき、上記絶縁スペーサ要素は、被試験デバイス（ＤＵＴ）の表面に接しながら、上記信号ピンを試験プローブ・チップ中に受け入れるように形作られる。
【００２０】
実施例１４としては、実施例１１〜１３のいずれかの試験プローブ・チップがあり、上記ソケット、上記アッテネータ及び上記ケーブルの近接端の周りを囲む導電性材料の基準胴体を更に具えている。
【００２１】
実施例１５としては、実施例１２〜１４のいずれかの試験プローブ・チップがあり、このとき、上記絶縁スペーサ要素が、基準ピンを受けて、上記基準胴体の近接端と電気的コミュニケーションをする状態で上記基準ピンを維持する基準ポートを更に有している。
【００２２】
実施例１６としては、実施例１２〜１５のいずれかの試験プローブ・チップがあり、このとき、上記絶縁スペーサ要素は、隣接するＤＵＴピン、上記基準ピン及び上記信号ピンの間の電気的コミュニケーションを緩和する。
【００２３】
実施例１７としては、実施例１２〜１６のいずれかの試験プローブ・チップがあり、このとき、上記絶縁スペーサ要素は、隣接するＤＵＴピン、上記ソケット及び上記基準胴体間の電気的コミュニケーションを緩和する。
【００２４】
実施例１８としては、実施例１１〜１７のいずれかの試験プローブ・チップがあり、基準ポート内に位置する接点要素を更に具え、該接点要素は、上記基準ピンを上記基準胴体と電気的コミュニケーションをする状態で解放可能に維持する。
【００２５】
実施例１９としては、実施例１８の試験プローブ・チップがあり、このとき、上記接点要素は、上記基準胴体と電気的コミュニケーションをする導電性材料のメカ的クリップである。
【００２６】
実施例２０としては、実施例１１〜１９のいずれかの試験プローブ・チップがあり、このとき、上記信号ポート及び上記基準ポート間の距離は、上記ＤＵＴのピン・ピッチに基づいて選択される。
【００２７】
本開示の実施形態の態様、特徴及び効果は、添付の図面を参照し、以下の実施形態の説明から明らかとなろう。
【図面の簡単な説明】
【００２８】
【図１】図１は、例示的なシールド・プローブ・チップの切断側面図である。
【図２】図２は、ＤＵＴの回路基板上の差動ピンに係合された例示的なシールド・プローブ・チップの切断側面図である。
【図３】図３は、ＤＵＴの回路基板上のピンに係合された例示的なシールド・プローブ・チップの切断等角図である。
【図４】図４は、ＤＵＴの回路基板上の差動ピンに係合された例示的なシールド・プローブ・チップの等角側面図である。
【図５】図５は、ヘッダのピン及び直接半田付けされたピンに係合された例示的なシールド・プローブ・チップの等角側面図である。
【図６】図６は、例示的なシールド・プローブ・チップの等角底面図である。
【発明を実施するための形態】
【００２９】
正方形ピン（Square pin）は、ＤＵＴ（被試験デバイス）から試験信号を得るのに利用されることがある。ＤＵＴに接続する手法の１つでは、ＤＵＴに半田付けされた正方形ピンに接続された露出したリード線を利用する。これらリード線には、基準又は差動信号をコモン・モード信号から絶縁する機構はない。加えて、２重リード線の制御できないインピーダンスは、システムの周波数応答に悪い影響を与え、帯域幅の損失、異常の増加につながる。ＤＵＴ上にマウントされた差動ピンの１対に結合し、こうしたピンを同軸の信号アクイジション（取込み）システムに接続し、このアクイジション・システムが、周波数応答を保持し、コモン・モード干渉に対するシールドを提供し、緩やかな動きと、高い差動定格電圧を実現するのに好ましいクリアランス空間（clearance space）を提供するような機構は、殆どないか、あってもごくわずかである。言い換えると、ある試験システムでは、試験設定において、厳しい制約があることがある。例えば、試験システムの中には、差動入力電圧レンジを１キロ・ボルト（ｋＶ）よりも大きく広げるものがある。従って、プローブ・チップの構造には、高い電圧を実現するために緩やかな動きとクリアランス空間を提供するものを利用することがある。この構造は、十分なアイソレーションを提供し、１ギガ・ヘルツ（ＧＨｚ）より高い信号速度をサポートできる。
【００３０】
後述のように、所定間隔で２つの正方形（又は丸形）ピンに係合し、対応する信号を同軸インタフェースに移行させるプローブ・チップを作ることによって、開示される機構は、差動信号を保護（preserve）する一方で、差動信号をコモン・モード干渉からシールドする。このプローブ・チップは、上述の課題にも取り組んでいる。プローブ・チップ本体の構造は、さもなければ信号の品位（integrity：インテグリティ）阻害するであろうコモン・モード干渉からの高いアイソレーションを提供する。同軸インタフェースと、プローブ・チップからセンサ・ヘッドまでのケーブル配線は、ＤＵＴからセンサ・ヘッドまで差動信号を保護（preserve：保全）する。プローブ・チップは、複数のピンに対して挿入するように設計される。プローブ・チップは、次いで、回路中に残されてままで回路は通電され、これにより、結果として、プローブ・チップを試験ポイント上に保持する必要が排除される。これは、ショックの危険を低減でき、その領域に危険な電圧が存在する場合には重要であろう。
【００３１】
本願では、プローブによって試験信号に加えられるノイズを低減するよう設計されたシールド・プローブ・チップ・インタフェースが開示される。シールド・プローブ・チップは、ＤＵＴ上のピンを介して差動信号を試験するのに利用でき、差動信号は、試験信号と対応する基準信号を含んでいる。プローブ・チップには、信号ピン用の信号ポートと基準ピン用の基準ポートとを有する絶縁スペーサ要素がある。係合すると、絶縁スペーサ要素は、回路基板やピン・ヘッダに接し、これによって、これらピンは、互いに又は隣接ピンからの電気的干渉からシールドされる。基準ポートには、クリップのような導電性材料の接点（contact：コンタクト）要素もあって良い。この接点要素は、プローブ・チップ内において、基準ピンを基準胴体に直接係合させる。基準ピン及び基準胴体間の、こうした直接の係合は、一貫性のある測定をサポートし、基準パス中のプローブ・チップのインピーダンスを低減する。これは、結果として、基準信号について、測定の精度と試験信号の伝送品質が夫々向上する。更に、試験プローブが、試験信号パスに沿った容量性負荷を最小化するアッテネータを有していても良い。開示されるプローブ・チップは、信号ピンを受けるソケットと、このソケットに直接接続されるアッテネータを有していても良い。アッテネータをソケットに直接接続することによって、信号パスに沿ったインダクタンス及びキャパシタンスが低減される。よって、試験信号パスも、より正確な試験信号を提供する。試験信号及び基準信号の両方の精度が向上することによって、結果としてノイズが低減され、信号対ノイズ比（ＳＮＲ）、よって、差動信号の信号品質は改善される。
【００３２】
図１は、例示的なシールド・プローブ・チップ１００の切断側面図である。説明を明確にするため、シールド・プローブ・チップ１００及び対応するコンポーネントは、近接端及び遠位端の観点から説明する。本願で用いるように、近接は、係合したときに、コンポーネントのＤＵＴ回路基板に最も近い部分を表し、遠位は、係合したときに、コンポーネントのＤＵＴ回路基板から最も遠い部分を表す。よって、プローブ・チップ１００には、近接端１０１と遠位端１０２がある。プローブ・チップ１００は、差動信号その他の信号対を受けるように設計される。よって、プローブ・チップ１００には、試験信号用の信号パスと、基準信号用の基準パスがある。差動信号は、試験信号の値と基準信号の値の間（例えば、正電圧と負電圧の間）の差である。信号パスには、ソケット１１０、アッテネータ１１２、信号カプラ１１４及びケーブル１２０がある。基準パスには、接点要素１３６、基準胴体（reference body）１３２、基準カプラ１３４及びケーブル１２０がある。プローブ・チップ１００には、また、信号ポート１４１及び基準ポート１４２を有する絶縁スペーサ要素１４０もある。これら及び他の要素は、以下で更に詳細に説明する。
【００３３】
ソケット１１０は、プローブ・チップ１００の近接端１０１に、導電性材料から形成されるコンポーネントである。ソケット１１０は、ＤＵＴからの信号ピンを受けることができ、信号パスに沿って信号ピンからの試験信号を電気的に伝送できる任意の導電性デバイスである。言い換えると、ソケット１１０は、ＤＵＴを離れた後に、差動信号用の中心コンタクトとして機能しつつ、少なくと一部分は絶縁スペーサ要素１４０を原因とするコモン・モード放射からの高いアイソレーションを提供する。ソケット１１０には、信号ピンを受けて、プローブ・チップ１００が係合しているときに、プローブ・チップ１００の他のコンポーネントと電気的な伝導をするように信号ピンを保持する凹部１１１がある。凹部１１１は、絶縁スペーサ要素１４０全体を通過して信号ピンの長さを受けるのに十分な深さを有する大きさとしても良く、結果として、絶縁スペーサ要素１４０がＤＵＴ上の回路基板又はヘッダと隣接し、信号ピンを支持する。
【００３４】
ソケット１１０の遠位端は、アッテネータ１１２と電気的に結合される。試験信号が試験システムへ送られるとき、電流は、プローブ１００を横断して取り出される。こうした電流をＤＵＴから引き出すと、ＤＵＴの電気的な状態を変化させる。これは、信号負荷として知られる。アッテネータ１１２は、インピーダンスを提供する任意の信号コンポーネントであり、よって、電流の引き込みと対応する信号負荷を低減する。アッテネータ１１２の近接端は、ソケット１１０との電気的な伝導を維持するために、ソケット１１０の遠位端に直接付けても良い。電気的伝導は、本願で用いるように、対応するコンポーネント間を電荷が流れるパスを提供する電気的な伝導性の接触を表す。アッテネータ１１２は、また、アッテネータ１１２の近接端や遠位端にエラストマがあっても良く、エラストマを介して直接付けられても良い（例えば、ワイヤ／ケーブルを介在することなしに）。エラストマは、導電性であり、製造中、結合されるコンポーネントに対してアッテネータを力で押しつけることが可能になる。アッテネータ１１２は、アッテネータ１１２の近接端とソケット１１０の遠位端の間にインピーダンスを加える。アッテネータ１１２をソケット１１０へ直接接続することによって容量が低減されるが、これは、信号パスに沿ったプローブ・チップ１００の周波数応答を改善できる。更に、アッテネータ１１２をソケット１１０へ直接接続すると、制御できないインピーダンスが減少し、結果として、プローブ・チップ１００のインピーダンスが制御しやすくなる。アッテネータ１１２は、非導電性材料の絶縁部材１１３に囲まれている。絶縁部材１１３は、基準胴体１３２からアッテネータ１１２を絶縁し、対応する短絡を生じさせる。
【００３５】
信号カプラ１１４は、プローブ・チップ１００の遠位端でケーブル１２０を受けて、その近接端で、アッテネータ１１２に対してケーブル１２０のコア（中心）を保持し、アッテネータ１１２と電気的にコミュニケーション（伝達、通信）する。信号カプラ１１４は、同軸ケーブル１２０を通じて差動信号を伝送する無線周波数（ＲＦ）コネクタとして機能できる。信号カプラ１１４は、導電性材料を含み、ケーブル１２０のコアの導電性の表面積を拡大する効果がある。これは、結果として、ケーブル１２０のコアとアッテネータ１１２の間の伝導性を増加させる。ケーブル１２０には、電気的に試験信号を伝送する内部コアと、電気的に基準信号（例えば、グラウンド）を伝送する外部導電性シールドとがある。図示するように、ケーブル１２０のコアの近接端は、信号カプラ１１４を通して挿入されて、アッテネータ１１２の遠位端に付けられる。よって、ケーブル１２０は、試験のための試験測定システム（例えば、オシロスコープ）へ向けて、そのコアを通して試験信号を伝送し、外部導電性シールドに沿って基準信号を伝送する。
【００３６】
基準パスは、基準胴体１３２を通過して伸びており、これは、シールドとも呼ばれることがある。基準胴体１３２は、導電性材料から形成される。基準胴体１３２は、基準ピンからの基準信号をケーブル１２０へ向けて伝送できる任意のコンポーネントである。図示のように、基準胴体１３２は、プローブ・チップ１００の近接端１０１で、ソケット１１０の周りを囲んでも良い。基準胴体１３２は、ソケット１１０に付けられたアッテネータ１１２の周りも囲んでも良い。いくつかの実施例では、基準胴体１３２は、ケーブル１２０の近接端の周りも囲むことがある。基準胴体１３２は、後述のように、絶縁スペーサ要素１４０によって、ソケット１１０から分離されても良い。基準胴体１３２は、また、アッテネータ１１２及び信号カプラ１１４からも非導電性材料（例えば、絶縁部材１１３）によって分離されている。係合すると、基準ピンが、基準ポート１４２を介して基準胴体１３２と隣接する。基準信号は、基準胴体１３２に沿って基準カプラ１３４へと伝送される。非導電性材料によって、基準信号が信号パスへのアーク放電を生じるのが防止される。
【００３７】
基準カプラ１３４は、導電性材料から形成され、ケーブル１２０の近接端の外部導電性シールドへ基準信号を伝送する。基準カプラ１３４は、基準胴体１３２の遠位端及びケーブル１２０の近接端に対して、半田付けされても良いし、さもなければ、電気的及び物理的に結合されても良い。基準カプラ１３４は、また、信号カプラ１１４及びアッテネータ１１２に対して物理的な圧力を加え、こうしたコンポーネントとソケット１１０との間の電気的接続を維持する。基準カプラ１３４は、非導電性材料のプラグ１４６によって、信号カプラ１１４から分離されて、基準及び信号パス間でアーク放電が生じるのを防止する。プラグ１４６は、また、製造中（例えば、基準カプラ１３４が半田付けされるとき）、これらコンポーネントの位置とアッテネータ１１２に対する圧力を維持する。
【００３８】
絶縁スペーサ要素１４０は、プローブ・チップ１００の近接端１０１に配置される。絶縁スペーサ要素１４０は、非導電性材料から形成され、ピン間の緩やかな動きと間隔を維持するように形作られる。絶縁スペーサ要素１４０は、プローブ・チップ１００の近接端１０１で基準胴体１３２の周りを囲む。絶縁スペーサ要素１４０は、また、ソケット１１０の近接端に付けられる。絶縁スペーサ要素１４０は、また、プローブ・チップ１００の近接端で、ソケット１１０の周りを囲んでも良い。よって、絶縁スペーサ要素１４０は、ソケット１１０及び基準胴体１３２の間に広がっていても良く、これは、基準胴体１３２からソケット１１０を電気的に絶縁し、その逆も同様である。絶縁スペーサ要素１４０には、信号ピンをソケット１１０中で受けるための信号ポート１４１がある。具体的には、信号ポート１４１は、絶縁スペーサ要素１４０中の開口部であり、これは、形状、サイズ及び位置がソケット１１０の近接端の凹部１１１と整合する。絶縁スペーサ要素１４０は、ソケット１１０から下方に突き出るように描かれているが、いくつかの実施例では、ソケット１１０は、回路基板又はピン・ヘッダに直接隣接しても良いことに留意されたい。更に、絶縁スペーサ要素１４０には、基準ピンを受け、基準ピンの基準胴体１３２の近接端との電気的コミュニケーションを維持する基準ポート１４２がある。言い換えると、基準ポート１４２は、基準胴体１３２の側壁と整合する絶縁スペーサ要素１４０の開口である。
【００３９】
動作時、絶縁スペーサ要素１４０は、ＤＵＴ表面に接しているときに、試験プローブ・チップ１００中に信号ピン及び基準ピンを受けるように形作られる。言い換えると、絶縁スペーサ要素１４０は、絶縁スペーサ要素１４０の近接面が回路基板のピンを保持するヘッダに接触するまで、ピンの長さ方向にスライドできる。これにより、絶縁スペーサ要素１４０は、さもなければ、基準ピン、信号ピン又はこれらの両方に電流（例えば、ノイズ）を誘導するであろう他のＤＵＴのピンに由来する電界から、信号ピンをアイソレーションできる。従って、絶縁スペーサ要素１４０の近接壁（例えば、これは、ＤＵＴに接する）は、基準及び高速試験信号の両方に関する２ピン接触係合面として機能する。
【００４０】
プローブ・チップ１００には、接点要素１３６もある。接点要素１３６は、基準ポート１４２中に配置される。接点要素１３６は、基準胴体１３２との電気的にコミュニケーションする基準ピンを解放可能に維持できる任意のコンポーネントである。例えば、接点要素１３６は、図示のように、基準胴体１３２との電気的にコミュニケーションする導電性材料のメカ的なクリップでも良い。しかし、本開示の範囲から離れることなく、他の接点要素１３６を使用しても良い。接点要素１３６は、接触前の状態で描かれ、よって、基準胴体１３２の方向へ内向きに押しつけるように示されている。図２では、接点要素１３６が係合状態で描かれている。接点要素１３６は、基準ピン及び基準胴体１３２間の直接の確実な係合の維持を支援する。これは、結果として、基準ピン及び基準胴体１３２間に存在する電気的パスの一貫した安定性を確実なものにする。従って、接点要素１３６は、ユーザが一貫性のある繰り返し可能な測定を行うのを可能にする。接点要素１３６は、また、導電性でも良く、従って、基準ピン及び基準胴体１３２間の付加的なパスとして機能しても良い。このように、基準ピンを基準胴体１３２に対して維持することによって、基準パスにおけるプローブ・チップのインピーダンスは低減され、これは、基準信号の伝送品質が向上する結果となる。
【００４１】
図２は、ＤＵＴの回路基板２１２上の差動ピンに係合された例示的なシールド・プローブ・チップ１００の切断側面図である。ＤＵＴの回路基板２１２には、図示のように、複数ピンからなる配列があっても良い。これらピンは、いくつかの実施例では、回路基板２１２に直接半田付けされても良い。別の実施例では、これらピンは、ヘッダ２１０に装着されても良い。図示の実施例では、信号ピン２０１には試験信号があり、基準ピン２０２には基準信号がある。他の隣接するピン２０５には、試験対象の差動信号と関係のない他の信号があっても良い。図示のように、絶縁スペーサ要素１４０は、ＤＵＴ表面、この場合、ヘッダ２１０に接しているときに、試験プローブ・チップ１００中に信号ピン２０１及び基準ピン２０２を受けるように形作られる。
【００４２】
具体的には、信号ピン２０１は、信号ポート１４１を介して、絶縁スペーサ要素１４０を通過し、ソケット１４０の中へとスライドしても良い。絶縁スペーサ要素１４０は、ヘッダ２１０と接し、これによって、信号ピン２０１及び隣接ピン２０５間の望ましくない電気的コミュニケーション／干渉を低減する。更に、基準ピン２０２が、基準ポート１４２を介して、絶縁スペーサ要素１４０を通過してスライドし、基準胴体１３２に対して押しつけられるようにしても良い。接点要素１３６は、基準ピン２０２が基準ポート１４２に入ることができるように動いても良く、そして、メカ的な圧力を利用して、基準ピン２０２及び基準胴体１３２間の接触を維持するようにしても良い。絶縁スペーサ要素１４０は、基準ポート１４２の周りを囲んでも良く、ヘッダ２１０と接しても良い。よって、絶縁スペーサ要素１４０は、隣接ピン２０５及び基準ピン２０２間の電気的接触も緩和する。絶縁スペーサ要素１４０は、隣接ピン２０５より上に広がり、ソケット１４０及び基準胴体１３２の近接端の周りを囲んでいるので、絶縁スペーサ要素１４０は、隣接ピン２０５、ソケット１４０及び基準胴体１３２間の電気的接触も緩和する。言い換えると、絶縁スペーサ要素１４０は、基準ピン２０２、基準胴体１３２、ソケット１４０及び信号ピン２０１を隣接ピン２０５から電気的に絶縁するよう設計されている。この構成は、隣接ピン２０５からの干渉を効果的に除去できる。
【００４３】
絶縁スペーサ要素１４０の複数の側壁の厚さ及び間隔に加えて、信号ポート１４１及び基準ポート１４２の位置は、信号ピン２０１、基準ピン２０２及び複数の隣接ピン２０５の相対的な位置に依存して変更されても良い。例えば、信号ポート１４１及び基準ポート１４２間の距離は、ＤＵＴの複数のピンのピン・ピッチに基づいて選択される。図示の実施例では、ピン・ピッチは、０．１００インチであり、これは、信号ピン２０１の中心と基準ピン２０２の中心との間の２.５４ミリメータ（ｍｍ）の距離を表す。ピン・ピッチがもっと広い場合には、結果として、信号ポート１４１及び基準ポート１４２の間の間隔がもっと広くなる。更に、絶縁スペーサ要素１４０の側壁の幅を、ピン・ピッチに基づいて選択しても良い。図示のように、信号ポート１４１と、信号ポート１４１に隣接する絶縁スペーサ要素１４０の側壁との間の幅は、絶縁スペーサ要素１４０が隣接ピン２０５に対してメカ的な圧力を与えることがないように選択される。同様に、基準ポート１４２と、基準ポート１４２に隣接する絶縁スペーサ要素１４０の側壁との間の幅は、絶縁スペーサ要素１４０が隣接ピン２０５に対してメカ的な圧力を与えることがないように選択される。これは、隣接ピン２０５があっても、絶縁スペーサ要素１４０が、ヘッダ２１０に接するのを可能にする。
【００４４】
図３は、ＤＵＴの回路基板２１２上のピンに係合された例示的なシールド・プローブ・チップ１００の切断等角図である。具体的には、図３は、異なる配置でピンに結合された同じプローブ・チップ１００（又は、実質的に同様のプローブ・チップ１００）を示す。図示するように、絶縁スペーサ要素１４０の形状によって、プローブ・チップ１００が、３行のピン、図示のような２行のピン等の水平又は垂直方向で異なるピンへの結合が可能なる。更に、絶縁スペーサ要素１４０の形状は、プローブ・チップ１００のピンへの取り付け／係合するときのガイド（guidance：案内、誘導）を提供する。加えて、絶縁スペーサ要素１４０がピンの周りにぴったり収まることで、信号ピンと基準ピンを関係のないピンから絶縁できる。
【００４５】
図４は、ＤＵＴの回路基板２１２上の差動ピンに係合された例示的なシールド・プローブ・チップ１００の等角側面図である。図４に更に示すように、プローブ・チップ１００は、複数の配置において、隣接ピン２０５（例えば、正方形又は丸形）の配列内にぴったりと収まりつつ、信号ピン及び基準ピンとだけ電気的接触を形成しても良い。図４では、信号ピン及び基準ピンは、絶縁スペーサ要素１４０中に収納されているので、図示されていない。
【００４６】
図５は、ヘッダ２１０のピン及び直接半田付けされたピン５０２に係合された例示的なシールド・プローブ・チップ１００の等角側面図である。具体的には、図５は、異なる配置でピンに結合された同じプローブ・チップ１００（又は、実質的に同様のプローブ・チップ１００）を示す。図示するように、回路基板２１２には、複数の基準ピン２０２、複数の信号ピン２０１及び複数の隣接ピン２０５を有するヘッダ２１０があっても良い。回路基板２１２には、また、直接半田付けされた複数のピン５０２があっても良く、これらは、ヘッダ２１０を介することなく回路基板２１２に直接取り付けられた任意の信号／基準ピンである。プローブ・チップ１００は、こうした複数のピンのどれとでも係合して良い。プローブ・チップ１００が直接半田付けされたピン５０２と係合する場合、絶縁スペーサ要素が接するＤＵＴの面は、回路基板２１２である。プローブ・チップ１００が、ヘッダ２１０に係合するピンと係合する場合、絶縁スペーサ要素が接するＤＵＴの面は、ヘッダ２１０である。複数の直接半田付けされたピン５０２は、ヘッダ２１０にマウントされたピンよりも、若干良い性能を提供することがある。しかし、こうした差は、ＤＵＴの性質に依存し、プローブ・チップ１００では制御できない。
【００４７】
図６は、例示的なシールド・プローブ・チップ１００の等角底面図である。絶縁スペーサ要素１４０には、夫々、信号ポート１４１に隣接する信号側壁と、基準ポート１４２に隣接する基準側壁６４４とがある。絶縁スペーサ要素１４０には、また、第１グリップ側壁及び第２グリップ側壁があっても良い。これら側壁の夫々は、隣接ピンに接していても良い。更に、基準側壁６４４には、接点（contact：コンタクト）開口６４３があっても良い。接点開口６４３は、基準ピンの解放（release：解除）又は係合の間の接点要素１３６の動きをサポートする形状をしている。例えば、接点要素１３６が図示するようなクリップなら、基準ピンを基準ポート１４２内に入れ込む場合には、接点要素１３６は、外側へ広がっても良い。接点要素１３６は、次いで、戻ろうとすることによって、メカ的な圧力を基準ピンに苦与えることができる。この機構によって、基準ピンが適切な位置に維持される。接点開口６４３は、そのクリップが広がったときに、接点要素１３６の近接部分が動く空間を提供する。
【００４８】
本願発明の態様は、様々な変更及び代替形態で動作する。特定の態様は、図面に例として示されており、詳細に説明した。しかしながら、本願に開示された実施例は、説明を明確にする目的で提示されており、明示的に限定されない限り、開示される一般的概念の範囲を本願に記載の具体例に限定することを意図していない。このように、本開示は、添付の図面及び特許請求の範囲に照らして、記載された態様のすべての変更、均等物及び代替物をカバーすることを意図している。
【００４９】
明細書における実施形態、態様、実施例などへの言及は、記載された項目が特定の特徴、構造又は特性を含み得ることを示す。しかしながら、開示される各態様は、そうした特定の特徴、構造又は特性を含んでいても良いし、必ずしも含んでいなくても良い。更に、このような言い回しは、特に明記しない限り、必ずしも同じ態様を指しているとは限らない。更に、特定の態様に関連して特定の特徴、構造又は特性が記載されている場合、そのような特徴、構造又は特性は、そのような特徴が他の開示された態様と明示的に関連して記載されているか否かに関わらず、そうした他の開示された態様と関連して使用しても良い。
【００５０】
開示された主題の上述の実施例は、記述したか又は当業者には明らかであろう多くの効果を有する。それでも、開示された装置、システム又は方法のすべてのバージョンにおいて、これらの効果又は特徴のすべてが要求されるわけではない。
【００５１】
加えて、本願の記述は、特定の特徴に言及している。本明細書における開示には、これらの特定の特徴の全ての可能な組み合わせが含まれると理解すべきである。ある特定の特徴が特定の態様又は実施例の状況において開示される場合、その特徴は、可能である限り、他の態様及び実施例の状況においても利用できる。
【００５２】
また、本願において、２つ以上の定義されたステップ又は工程を有する方法に言及する場合、これら定義されたステップ又は工程は、状況的にそれらの可能性を排除しない限り、任意の順序で又は同時に実行しても良い。
【００５３】
説明の都合上、本発明の具体的な実施例を図示し、説明してきたが、本発明の要旨と範囲から離れることなく、種々の変更が可能なことが理解できよう。従って、本発明は、添付の特許請求の範囲を除いて限定されるべきではない。
【符号の説明】
【００５４】
１００  シールド・プローブ・チップ
１０１  近接端
１０２  遠位端
１１０  ソケット
１１１  凹部
１１２  アッテネータ
１１４  信号カプラ
１２０  ケーブル
１３２  基準胴体
１３４  基準カプラ
１３６  接点要素
１４０  絶縁スペーサ要素
１４１  信号ポート
１４２  基準ポート
２０１  信号ピン
２０２  基準ピン
２０５  隣接ピン
２１０  ヘッダ
２１２  回路基板
５０２  直接半田付けされたピン
６４３  接点開口
６４４  基準側壁
【図１】
2019002910.tif 000003
【図２】
2019002910.tif 000004
【図３】
2019002910.tif 000005
【図４】
2019002910.tif 000006
【図５】
2019002910.tif 000007
【図６】
2019002910.tif 000008
【外国語明細書】
2019002910000001.pdf